(57)【要約】【課題】  車両走行支援装置において、狭路走行や狭路におけるすれ違い時などにおいて、運転者が、前方を注視したまま脱輪や対向車との接触等を発生することなく容易に走行を行えるようにする。【解決手段】  自車両９の乗員が認知すべき情報を映像情報としてフロントガラス９ｂに投影して、映像情報を前景に虚像として重畳させて表示するヘッドアップディスプレイ９ｂ、１１を有する車両走行支援装置において、自車両９の走行可能幅１０１やこれから走行する自車両９のタイヤの軌跡１０２等の車幅情報を、映像情報としてフロントガラス９ｂに表示する。【選択図】        図２
2005078414.tif 000002
【特許請求の範囲】
【請求項１】
自車両（９）の乗員が認知すべき情報を映像情報としてフロントガラス（９ｂ）に投影して、前記映像情報を前景に虚像として重畳させて表示するヘッドアップディスプレイ（９ｂ、１１）を有する車両走行支援装置において、
前記自車両（９）の車幅情報（１０１、１０２、１０４）を前記映像情報として前記フロントガラス（９ｂ）に表示するようにしたことを特徴とする車両走行支援装置。
【請求項２】
前記車幅情報は、前記自車両（９）が走行可能な幅（１０１）が領域として示されるものであることを特徴とする請求項１に記載の車両走行支援装置。
【請求項３】
前記車幅情報は、これから走行する前記自車両（９）のタイヤの軌跡（１０２）として表されるものであることを特徴とする請求項１または２に記載の車両走行支援装置。
【請求項４】
前記車幅情報は、前記自車両（９）と同じ車幅かもしくはそれ以上の車幅を有する架空の車両（１０４）として表示されることを特徴とする請求項１ないし３のいずれか１つに記載の車両走行支援装置。
【請求項５】
前記自車両（９）の運動状態を認識するための自車両認識手段（１６、２１）と、
前記自車両（９）の前方の状況を認識するための前方状況認識手段（１４、１５、２０）とを備え、
前記自車両認識手段（１６、２１）および前記前方状況認識手段（１４、１５、２０）からの情報に基づいて前記車幅情報（１０１、１０２、１０４）が決定されるようになっていることを特徴とする請求項１ないし４のいずれか１つに記載の車両走行支援装置。
【請求項６】
前記前方状況認識手段（１４、１５、２０）から得られる情報に基づき、前記自車両（９）の前方に実際に走行車両またはバイクが存在する場合には、
前記フロントガラス（９ｂ）に表示される映像情報を、半透明の表示にすることを特徴とする請求項５に記載の車両走行支援装置。
【請求項７】
前記自車両認識手段（１６、２１）から得られる前記自車両（９）の速度情報に基づいて、前記自車両（９）の制動距離を算出し、この制動距離の情報（１０５）を前記映像情報として前記フロントガラス（９ｂ）に表示するようにしたことを特徴とする請求項５または６に記載の車両走行支援装置。
【請求項８】
前記自車両（９）の前方にて高さ方向に障害物が存在する場合には、前記自車両（９）の走行可能な高さを前記映像情報として前記フロントガラス（９ｂ）に表示するようにしたことを特徴とする請求項５ないし７のいずれか１つに記載の車両走行支援装置。
【請求項９】
前記自車両（９）が所定幅よりも道幅の狭い道路に入った場合に、前記前方状況認識手段（１４、１５、２０）によって当該道路の道幅が認識されることにより、自動的に前記ヘッドアップディスプレイ（９ｂ、１１）による表示が開始するようになっていることを特徴とする請求項５ないし８のいずれか１つに記載の車両走行支援装置。
【請求項１０】
前記自車両（９）が所定幅よりも道幅の広い道路に入った場合に、前記前方状況認識手段（１４、１５、２０）によって当該道路の道幅が認識されることにより、自動的に前記ヘッドアップディスプレイ（９ｂ、１１）による表示が終了するようになっていることを特徴とする請求項５ないし９のいずれか１つに記載の車両走行支援装置。
【請求項１１】
前記自車両認識手段（１６、２１）は、前記自車両（９）の操舵角を検出するステアリングセンサ（２１）を備えており、
前記ステアリングセンサ（２１）からの情報に基づき前記車幅情報（１０１、１０２）が前記フロントガラス（９ｂ）上にて左右に移動するようになっていることを特徴とする請求項５ないし１０のいずれか１つに記載の車両走行支援装置。
【請求項１２】
前記ステアリングセンサ（２１）からの情報から判断して、前記自車両（９）が、対向車（１００）と接触するかもしくは脱輪の可能性がある場合には、
操舵の適正化を図るべく警報表示するかあるいは警報音を鳴らすようになっていることを特徴とする請求項１１に記載の車両走行支援装置。
【請求項１３】
運転者（８）によって操作可能であって、前記ヘッドアップディスプレイ（９ｂ、１１）による表示のオンオフを行うためのスイッチ（１３）が備えられていることを特徴とする請求項１に記載の車両走行支援装置。
【請求項１４】
前記運転者（８）による前記スイッチ（１３）の入り切りの情報と、道路幅の情報から、前記運転者（８）が道路幅情報を必要とするか否かを学習し、前記ヘッドアップディスプレイ（９ｂ、１１）による表示を行うか否かを判断できるようになっていることを特徴とする請求項１３に記載の車両走行支援装置。
【請求項１５】
前記運転者（８）の判断により前記スイッチ（１３）を入れたときの道路幅情報と前記スイッチ（１３）を切ったときの道路幅情報とを蓄積する蓄積手段（１２）を備えており、
前記スイッチ（１３）を入れたときの道路幅情報より狭い道路幅になったときは自動的に前記スイッチ（１３）をオンにし、前記スイッチ（１３）を切ったときの道路幅情報より広い道路幅になったときは自動的に前記スイッチ（１３）をオフにすることを特徴とする請求項１３に記載の車両走行支援装置。
【請求項１６】
前記車幅情報として、前記自車両（９）が走行可能な幅と前記自車両（９）の幅とから算出される余裕度が表示されるようになっており、この余裕度が無い場合には警報が発せられるようになっていることを特徴とする請求項１ないし１５のいずれか１つに記載の車両走行支援装置。
【発明の詳細な説明】
【技術分野】
【０００１】
本発明は、ヘッドアップディスプレイ（ＨＵＤ）を用いて運転者への情報を表示する車両走行支援装置に関する。
【背景技術】
【０００２】
現在、安全運転を支援する車両走行支援装置として、認知ミスを少なくするために運転者が前方から視線を外すことなく情報を認識できるヘッドアップディスプレイが実用化されており、また、こうしたヘッドアップディスプレイなどへの情報の提示方法についても研究されている。
【０００３】
このようなヘッドアップディスプレイを用いた車両走行支援装置としては、自車位置情報と道路情報とに併せて走行案内情報を表示する表示手段を有する車両のナビゲーションシステムにおいて、自車両の乗員が認知すべき情報を映像情報としてフロントガラスに投影して、映像情報を前景に虚像として重畳させて表示するヘッドアップディスプレイを有するものが提案されている（たとえば、特許文献１参照）。
【０００４】
また、運転者の視線を検出し、情報の種類に応じて視線方向とそれ以外の方向に所定の情報を表示するようにして安全性を向上したり、運転者の視線方向近傍に障害物の情報を表示し、その後、その表示を障害物の方向に移動することで運転者の視線を誘導し、障害物の存在を素早くかつ確実に確認することができる表示装置が提案されている（たとえば、特許文献２参照）。
【０００５】
また、ヘッドアップディスプレイを用いたものではないが、駐車支援装置として、支援情報をナビゲーションシステムのディスプレイに表示することで、駐車を容易にできるようにしたものが提案されている（たとえば、特許文献３参照）。
【特許文献１】特開２００１−１０８４７６号公報
【特許文献２】特開２００２−１９４９１号公報
【特許文献３】特開２００１−３４１６００号公報
【発明の開示】
【発明が解決しようとする課題】
【０００６】
しかしながら、従来では、狭い道では、特に初心者ドライバーにとっては、自車幅の感覚に乏しく、運転しにくいという問題があった。また、狭路でのすれ違いにおいては、対向車との接触、対向車との距離をとりすぎて脱輪するなどの危険もあり、不安を感じるという問題があった。
【０００７】
このような狭路走行時や狭路でのすれ違い時の問題について対策を講じた車両走行支援装置は従来では無かったものである。
【０００８】
また、上記特許文献３に記載されているような駐車支援装置を狭路走行対策に適用しようとしても、支援情報をナビゲーションシステムの画面に表示したのでは、運転者が車両前方からナビゲーションシステムの画面へ視線を移動させる必要があり、走行中では見にくいなどの問題がある。
【０００９】
そこで、本発明は上記問題に鑑み、狭路走行や狭路におけるすれ違い時などにおいて、運転者が、前方を注視したまま脱輪や対向車との接触等を発生することなく容易に走行を行えるようにすることを目的とする。
【課題を解決するための手段】
【００１０】
上記目的を達成するため、請求項１に記載の発明では、自車両（９）の乗員が認知すべき情報を映像情報としてフロントガラス（９ｂ）に投影して、映像情報を前景に虚像として重畳させて表示するヘッドアップディスプレイ（９ｂ、１１）を有する車両走行支援装置において、自車両（９）の車幅情報（１０１、１０２、１０４）を映像情報としてフロントガラス（９ｂ）に表示するようにしたことを特徴としている。
【００１１】
それによれば、車幅情報（１０１、１０２、１０４）がフロントガラス（９ｂ）を通じて虚像として前景に重畳表示されるため、運転者（８）は前方を注視したままこの車幅情報（１０１、１０２、１０４）を認識することができる。ここにおいて、車幅情報とは、自車両が走行可能な幅すなわち走行可能幅や自車幅のことを意味する。
【００１２】
そのため、本発明の車両走行支援装置によれば、狭路走行や狭路におけるすれ違い時などにおいて、運転者（８）は、前方を注視したまま脱輪や対向車（１００）との接触等を発生することなく容易に走行を行うことができる。
【００１３】
ここで、請求項２に記載の発明のように、請求項１に記載の車両走行支援装置においては、車幅情報は、自車両（９）が走行可能な幅（１０１）が領域として示されるものにできる。
【００１４】
それによれば、運転者（８）は自車両（９）を、表示されている走行可能幅（１０１）の領域内に位置するように走行させればよいため、狭路走行や狭路におけるすれ違い時などにおいて走行が容易になる。
【００１５】
また、請求項３に記載の発明のように、請求項１または請求項２に記載の車両走行支援装置においては、車幅情報は、これから走行する自車両（９）のタイヤの軌跡（１０２）として表されるものにできる。
【００１６】
それによれば、運転者（８）は自車両（９）を、表示されているタイヤの軌跡（１０２）に沿って走行させればよいため、狭路走行や狭路におけるすれ違い時などにおいて走行が容易になる。
【００１７】
また、請求項４に記載の発明のように、請求項１〜請求項３に記載の車両走行支援装置においては、車幅情報は、自車両（９）と同じ車幅かもしくはそれ以上の車幅を有する架空の車両（１０４）として表示されるものにできる。
【００１８】
それによれば、運転者（８）は、表示されている架空の車両（１０４）を追従するように自車両（９）を走行させればよい。
【００１９】
そして、この架空の車両（１０４）は自車両（９）と同じ車幅かもしくはそれ以上の車幅を有するため、当該架空の車両（１０４）が表示される位置を実際に自車両（９）が通過する際の車両感覚を、運転者（８）が把握しやすくなる。そのため、狭路走行や狭路におけるすれ違い時などにおいて走行が容易になる。
【００２０】
また、請求項５に記載の発明では、請求項１〜請求項４に記載の車両走行支援装置において、自車両（９）の運動状態を認識するための自車両認識手段（１６、２１）と、自車両（９）の前方の状況を認識するための前方状況認識手段（１４、１５、２０）とを備え、自車両認識手段（１６、２１）および前方状況認識手段（１４、１５、２０）からの情報に基づいて車幅情報（１０１、１０２、１０４）が決定されるようになっていることを特徴としている。
【００２１】
それによれば、自車両（９）の運動状態や自車両（９）の前方の状況に応じて車幅情報（１０１、１０２、１０４）が決められるので、より精度のよい車幅情報を提供することができる。
【００２２】
ここで、請求項６に記載の発明では、請求項５に記載の車両走行支援装置において、前方状況認識手段（１４、１５、２０）から得られる情報に基づき、自車両（９）の前方に実際に走行車両またはバイクが存在する場合には、フロントガラス（９ｂ）に表示される映像情報を、半透明の表示にすることを特徴としている。
【００２３】
それによれば、自車両（９）の前方に実際に存在する走行車両またはバイクと、フロントガラス（９ｂ）に表示される映像情報とが重なっても、映像情報が半透明であるため、運転者（８）は当該走行車両またはバイクを容易に認識することができる。
【００２４】
また、請求項７に記載の発明では、請求項５または請求項６に記載の車両走行支援装置において、自車両認識手段（１６、２１）から得られる自車両（９）の速度情報に基づいて、自車両（９）の制動距離を算出し、この制動距離の情報（１０５）を映像情報としてフロントガラス（９ｂ）に表示するようにしたことを特徴としている。
【００２５】
それによれば、運転者（８）は、自車両（９）がどの地点で停止できるかを把握できるため、狭路におけるすれ違い時などにおいて、より安心して走行することができるようになる。
【００２６】
また、請求項８に記載の発明では、請求項５〜請求項７に記載の車両走行支援装置において、自車両（９）の前方にて高さ方向に障害物が存在する場合には、自車両（９）の走行可能な高さを映像情報としてフロントガラス（９ｂ）に表示するようにしたことを特徴としている。
【００２７】
それによれば、たとえば、トンネル内や陸橋の下を通過する場合や樹木の枝が道路上に張り出している場合など、このような高さ方向に存在する障害物までも考慮して、走行可能かどうかを判断できるため、より安全な走行を実現することができる。
【００２８】
また、請求項９に記載の発明では、請求項５〜請求項８に記載の車両走行支援装置において、自車両（９）が所定幅よりも道幅の狭い道路に入った場合に、前方状況認識手段（１４、１５、２０）によって当該道路の道幅が認識されることにより、自動的にヘッドアップディスプレイ（９ｂ、１１）による表示が開始するようになっていることを特徴としている。
【００２９】
それによれば、狭路走行時における車幅情報（１０１、１０２、１０４）の提供の開始が自動的になされるので、運転者（８）の煩わしさが軽減される。
【００３０】
また、請求項１０に記載の発明では、請求項５〜請求項９に記載の車両走行支援装置において、自車両（９）が所定幅よりも道幅の広い道路に入った場合に、前方状況認識手段（１４、１５、２０）によって当該道路の道幅が認識されることにより、自動的にヘッドアップディスプレイ（９ｂ、１１）による表示が終了するようになっていることを特徴としている。
【００３１】
それによれば、狭路走行の終了に伴う車幅情報（１０１、１０２、１０４）の提供の終了が自動的になされるので、運転者（８）の煩わしさが軽減される。
【００３２】
また、請求項１１に記載の発明では、請求項５〜請求項１０に記載の車両走行支援装置において、自車両認識手段（１６、２１）は、自車両（９）の操舵角を検出するステアリングセンサ（２１）を備えており、ステアリングセンサ（２１）からの情報に基づき車幅情報（１０１、１０２）がフロントガラス（９ｂ）上にて左右に移動するようになっていることを特徴としている。
【００３３】
それによれば、自車両（９）の操舵角に応じた車幅情報（１０１、１０２）が提供される。
【００３４】
具体的には、走行可能幅（１０１）やタイヤの軌跡（１０２）等を自車両（９）の進行方向に対応して移動させる等の表示が可能となり、このまま進むと対向車（１００）と接触するとか、脱輪するとかの情報が、自車両（９）の進行状態に応じてより精度よく提供されるようになる。
【００３５】
ここで、請求項１２に記載の発明では、請求項１１に記載の車両走行支援装置において、ステアリングセンサ（２１）からの情報から判断して、自車両（９）が、対向車（１００）と接触するかもしくは脱輪の可能性がある場合には、操舵の適正化を図るべく警報表示するかあるいは警報音を鳴らすようになっていることを特徴としている。
【００３６】
それによれば、上記請求項１１に記載の発明の効果に加えて、対向車（１００）との接触や脱輪の発生の警告が運転者（８）になされるので、これら対向車（１００）との接触や脱輪の発生をより確実に防止することができるようになる。
【００３７】
また、請求項１３に記載の発明では、請求項１に記載の車両走行支援装置において、運転者（８）によって操作可能であって、ヘッドアップディスプレイ（９ｂ、１１）による表示のオンオフを行うためのスイッチ（１３）が備えられていることを特徴としている。
【００３８】
それによれば、運転者（８）の意志によって、車幅情報（１０１、１０２、１０４）の提供の開始および終了を自由に行うことができるようになる。
【００３９】
ここで、請求項１４に記載の発明では、請求項１３に記載の車両走行支援装置において、運転者（８）によるスイッチ（１３）の入り切りの情報と、道路幅の情報から、運転者（８）が道路幅情報を必要とするか否かを学習し、ヘッドアップディスプレイ（９ｂ、１１）による表示を行うか否かを判断できるようになっていることを特徴としている。
【００４０】
また、請求項１５に記載の発明では、請求項１３に記載の車両走行支援装置において、運転者（８）の判断によりスイッチ（１３）を入れたときの道路幅情報とスイッチ（１３）を切ったときの道路幅情報とを蓄積する蓄積手段（１２）を備えており、スイッチ（１３）を入れたときの道路幅情報より狭い道路幅になったときは自動的にスイッチ（１３）をオンにし、スイッチ（１３）を切ったときの道路幅情報より広い道路幅になったときは自動的にスイッチ（１３）をオフにすることを特徴としている。
【００４１】
これら請求項１４および請求項１５に記載の発明によれば、車両走行支援装置が学習することにより、運転者（８）のニーズに応じた車幅情報（１０１、１０２、１０４）の提供の開始および終了を行うことができる。
【００４２】
また、請求項１６に記載の発明では、請求項１〜請求項１５に記載の車両走行支援装置において、車幅情報として、自車両（９）が走行可能な幅と自車両（９）の幅とから算出される余裕度が表示されるようになっており、この余裕度が無い場合には警報が発せられるようになっていることを特徴としている。
【００４３】
それによれば、すれ違いや狭路走行等において、ドライバー８に対してより親切な情報提供を行うことができる。
【００４４】
なお、上記各手段の括弧内の符号は、後述する実施形態に記載の具体的手段との対応関係を示す一例である。
【発明を実施するための最良の形態】
【００４５】
以下、本発明の実施形態について図に基づいて説明する。
【００４６】
図１は、本発明の実施形態に係る車両走行支援装置１０の概略構成を示す図である。図１では、自車両９は、車両の前半分が概略的に示されており、ドライバー（運転者）８とともに、前輪９ａ、フロントガラス９ｂ、ハンドル９ｃが示されている。
【００４７】
また、図２は、本実施形態に係る車両走行支援装置１０における映像情報としての車幅情報１０１、１０２をフロントガラス９ｂに投影して表示した様子を模式的に示す図であり、ドライバー８が運転席側からフロントガラス９ｂを介して自車両９の前方をみた視点にて示す図である。
【００４８】
図２では、実際に存在している対向車１００が示されており、虚像としての車幅情報１０１、１０２については、自車両９が走行可能な走行可能幅１０１が領域として示されるとともに、これから走行する自車両９のタイヤの軌跡１０２が示されている。
【００４９】
なお、図２および以下の図３〜図５では、走行可能幅１０１は点ハッチング、タイヤの軌跡１０２は斜線ハッチングにて示してあるが、実際には、これら走行可能幅１０１およびタイヤの軌跡１０２は半透明な色つきの領域として示されており、重畳している前景が見えるようになっている。
【００５０】
本実施形態の車両走行支援装置１０は、大きくは、液晶パネル１１、表示コントローラ１２、スイッチ１３、カメラ１４、車両分析装置１５、車速センサ１６、ＧＰＳコントローラ１７、ナビゲーションシステム１８、画像メモリ１９、レーダコントローラ２０およびステアリングセンサ２１を備えて構成されたものである。
【００５１】
液晶パネル１１は、フロントガラス９ｂを介してドライバー８に虚像表示を映し出すためのものであり、この液晶パネル１１としては、一般的に知られている液晶パネルを採用することができる。また、表示コントローラ１２は、この液晶パネル８に映し出される表示の処理を行うものである。
【００５２】
また、液晶パネル１１は、自車両９のインストルメントパネルの上部に配置され、表示コントローラ１２から出力された画像を表示する。その表示は、フロントガラス９ｂで反射されてドライバー８が虚像として見ることになる。
【００５３】
ここで、本実施形態では、図２に示されるように、虚像として上記映像情報としての車幅情報１０１、１０２が表示されるが、その車幅情報１０１、１０２が表示される位置については、表示コントローラ１２で出力された表示画像を、自車両９の前景と重ね合わせた位置に表示（重畳させて表示）している。
【００５４】
液晶パネル１１の配置については、ドライバー８の視点から自車両９の前方を見た時に、液晶パネル１１の映像が自車両９の先から前方を映すように、かつ液晶パネル１１に表示する画像の垂直（水平）座標と、その画像が表示される風景における距離（横位置）との関係を、あらかじめ設定しておいたパラメータ（例えば、式もしくは表）に基づくようにして配置する。
【００５５】
このことは、具体的に言うならば、次の通りである。例えば、フロントガラス９ｂに形成される虚像表示範囲において、垂直方向座標における最上部の位置が、車両前方の風景における２００ｍ先の地点に重なるようにするとともに、垂直座標における最下部の位置が、車両前方の風景における２０ｍ先の地点に重なるようにする。
【００５６】
そして、フロントガラス９ｂに形成される虚像の表示範囲において、水平方向座標についても同様に、風景における横位置との関係を設定し、これらの関係を満足するように、液晶パネル１１の配置が行われるのである。
【００５７】
また、ハンドル９ｃの周辺部に設けられているスイッチ１３は、ドライバー８が操作するスイッチである。ドライバー８はこのスイッチ１３を操作することによって、表示コントローラ１２から液晶パネル１１へ映し出される表示のＯＮ／ＯＦＦを設定できるようになっている。
【００５８】
このように、本実施形態では、液晶パネル１１およびフロントガラス９ｂによって、ヘッドアップディスプレイ９ｂ、１１が構成されている。
【００５９】
そして、このヘッドアップディスプレイ９ｂ、１１においては、自車両９の乗員が認知すべき情報を映像情報としてフロントガラス９ｂに投影して、当該映像情報を自車両９の前景に虚像として重畳させて表示するようにしている。
【００６０】
また、車室内の天井周辺に設けられているカメラ１４は、自車両９の前方（車両前方）を撮影するカメラである。このようなカメラ１４としては、例えば、ＣＣＤ（ｃｈａｒｇｅ  ｃｏｕｐｌｅｄ  ｄｅｖｉｃｅ）等を採用することができる。
【００６１】
そして、車両分析装置１５は、カメラ１４にて撮影された画像を画像処理することにより、対向車の有無の分析や道路幅の算出、あるいは障害物の有無の分析などを行うようにしたものである。
【００６２】
この車両分析装置１５では、カメラ１４の画像をパターンマッチング手法により分析することによって、自車両９と対向車１００との間の横方向距離、および、自車両９と対向車１００との間の車間距離を計算し、これらを表示コントローラ１２に対向車位置データとして出力する。
【００６３】
ここで、自車両９と対向車１００との間の横方向距離とは、自車両９の進行方向の中心軸に対して、対向車１００の進行方向の中心軸がずれて位置しているときの、両中心軸の水平方向の距離である。なお、車間距離は、進行方向における自車両９と対向車１００との間の距離である。
【００６４】
なお、車間距離は、車の大きさから見積もることも可能であるが、本構成では、正確に距離を計測するためのレーダコントローラ２０が搭載されており、これにより対向車１００の位置を計測するようにしている。
【００６５】
このように、本実施形態では、カメラ１４、車両分析装置１５およびレーダコントローラ２０によって、自車両９の前方の状況を認識するための前方状況認識手段１４、１５、２０が構成されている。
【００６６】
車速センサ１６は、自車両９の速度を測定して、この測定された車速を表示コントローラ１２に車速データとして出力するものである。表示コントローラ１２では、この車速データをもとにして自車両９の制動距離を算出するようにしている。なお、制動距離とは、自車両９がある車速で走行しているときに、通常のブレーキ操作にて停止できるまでの距離である。
【００６７】
また、ステアリングセンサ２１は、自車両９の操舵角を検出し、この検出された操舵角データを表示コントローラ１２へ出力するものである。そして、本実施形態では、これら車速センサ１６およびステアリングセンサ２１によって、自車両９の運動状態、たとえば、自車両９の車速や操舵角等を認識するための自車両認識手段１６、２１が構成されている。
【００６８】
ＧＰＳ（グローバルポジショニングシステム）コントローラ１７は、人工衛星などからＧＰＳ信号を受信し、このＧＰＳ信号をもとにして自車両９の位置（つまり、自車両位置）の計算を行い、計算された自車両位置を表示コントローラ１２に自車両位置データとして出力するものである。
【００６９】
ナビゲーションシステム１８は、自車両９の目的地までの経路案内データを表示コントローラ１２に出力するものであり、また、このナビゲーションシステム１８は、道路の曲がり具合等の道路データを表示コントローラ１２に出力することもできる。
【００７０】
また、画像メモリ１９は、液晶パネル１１で表示される画像等の表示物のデータすなわち表示データが記憶されているものである。具体的な画像としては、走行可能域のパターン、タイヤ痕、仮想誘導車等の車幅情報あるいは後述する警告表示等の表示像が挙げられる。
【００７１】
なお、これら表示コントローラ１２、車両分析装置１５、ＧＰＳコントローラ１７、ナビゲーションシステム１８、および画像メモリ１９は、マイコン等から構成されたものである。
【００７２】
そして、表示コントローラ１２では、ステアリングセンサ２１から入力された操舵角データの情報を基に、次に自車両９がどのように進行するかを計算して、画像メモリ１９から走行可能域のパターン、タイヤ痕、仮想誘導車等の車幅情報の画像を読み出して、液晶パネル１１に出力するようになっている。
【００７３】
こうして、液晶パネル１１から表示された車幅情報の画像はフロントガラス９ｂで反射され、フロントガラス９ｂを介して自車両９の前方の風景に重畳させて虚像として表示される。こうして、ドライバー８は自車両９の進行方向に関する情報の虚像を見ることができる。
【００７４】
次に、本実施形態の車両走行支援装置１０の作動について述べる。
【００７５】
まず、ＧＰＳコントローラ１７は、ＧＰＳ信号を読み込む。車両分析装置１５は、カメラ１４から車両前方の画像データを読み込み、道路幅や対向車の有無を計算する。また、車両分析装置１５は、対向車が存在するときは、その対向車の位置や車間距離等を計算する。
【００７６】
また、表示コントローラ１２は、車速センサ１６から車速データを読み込み、この車速データから自車両９の制動距離を算出する。また、表示コントローラ１２は、ナビゲーションシステム１８から道路形状を読み込む。
【００７７】
さらには、道路が曲がっている場合には、表示コントローラ１２がナビゲーションシステム１８から受けた道路形状データにより、先の道路の形状を追加して表示する機能を持つようにすれば、さらに走行を支援しやすくできる。
【００７８】
なお、本例では、道路幅は、カメラ１４の画像から表示コントローラ１２が計算するものとしたが、ナビゲーションシステム１８が道路幅情報を持っている場合は、そのデータを使っても良い。
【００７９】
ここで、本実施形態では、ドライバー８が上記スイッチ１３を操作することによって、表示コントローラ１２から液晶パネル１１へ映し出される表示のＯＮ／ＯＦＦを設定できるため、ドライバー８の操作によってヘッドアップディスプレイ９ｂ、１１の表示のオンオフが決定される。
【００８０】
さらに、本実施形態では、このドライバー８によるスイッチ操作に加えて、自車両９が所定幅よりも道幅の狭い道路に入った場合に、上述した前方状況認識手段１４、１５、２０によって当該道路の道幅が認識されることにより、自動的にヘッドアップディスプレイ９ｂ、１１による表示が開始するようになっている。
【００８１】
一方、自車両９が所定幅よりも道幅の広い道路に入った場合には、前方状況認識手段１４、１５、２０によって当該道路の道幅が認識されることにより、自動的にヘッドアップディスプレイ９ｂ、１１による表示が終了するようになっている。
【００８２】
具体的に、道幅の所定幅を５ｍとする。すると、自車両９が、道路幅が５ｍ以下の道路に入ったときに、車両分析装置１５がカメラ１４の画像データから算出した道路幅やナビゲーションシステム１８の道路幅情報から、表示コントローラ１２が道路幅が５ｍ以下であることを認識する。
【００８３】
そして、表示コントローラ１２によって液晶パネル１１が駆動され、液晶パネル１１の画像がフロントガラス９ｂに投影されることにより、ヘッドアップディスプレイ９ｂ、１１による走行支援表示が開始する。
【００８４】
このヘッドアップディスプレイ９ｂ、１１による表示の際に、表示コントローラ１２は、前方の画像情報から自車両９の走行可能幅、自車両９の走行軌跡を計算し、走行可能幅やタイヤの軌跡（タイヤ痕）等を画像メモリ１９から読み出す。そして、表示コントローラ１２は、読み出された表示像を、液晶パネル１１を介してフロントガラス９ｂに虚像として表示する。
【００８５】
このヘッドアップディスプレイ９ｂ、１１による表示の様子の一例は、上記図２に示されるようなもので、図２では、車幅情報１０１、１０２としての走行可能幅１０１やタイヤの軌跡１０２が映像情報としてフロントガラス９ｂに表示されている。
【００８６】
また、上記図２は模式的な表示の例であるが、この表示の様子のより具体的な例は、図３に示される。図３は、道幅の狭い道路すなわち狭路での対向車１００とのすれ違い時における走行支援を表示した例である。
【００８７】
さらに、本実施形態では、ヘッドアップディスプレイ９ｂ、１１による車幅情報１０１、１０２の表示にあたって、自車両認識手段としてのステアリングセンサ２１からの情報すなわち自車両９の操舵角のデータに基づき、当該車幅情報１０１、１０２がフロントガラス９ｂ上にて左右に移動するようになっている。
【００８８】
このステアリングセンサ２１からの情報に基づく車幅情報１０１、１０２の左右への移動について、具体的な表示の様子は、図４に示される。
【００８９】
図４では、自車両９の操舵角が右方向へ向かっている例であり、この際ステアリングセンサ２１の信号により、表示コントローラ１２が、走行可能幅１０１および自車両９の走行軌跡であるタイヤの軌跡１０２が、右方向すなわち対向車１００の方向へ曲がるように移動した表示形態となっている。
【００９０】
このような車幅情報１０１、１０２の左右への移動により、ドライバー８のハンドル１１０の操作を支援することができる。
【００９１】
さらに、図４では、タイヤの軌跡１０２が対向車１００に接触する近辺まで延びており、自車両９の操舵角がこのままの状態にて走行を続けると、対向車１００と接触することが認識される。そこで、対向車１００と接触したりまたは脱輪する恐れがある場合は、操舵の適正化を図るべく警報を与える仕組みになっている。
【００９２】
図４では、具体的な警報の付与方法として、対向車１００に重畳して衝突マーク１０３が警報として表示されている。
【００９３】
このような衝突マーク１０３も上記画像メモリ１９に記憶されており、対向車１００との接触や脱輪の可能性がある場合には、表示コントローラ１２の判断により、ヘッドアップディスプレイ９ｂ、１１によって衝突マーク１０３が虚像として表示されるようになっている。
【００９４】
また、図４に示されるように、警報を表示したままであっても、対向車１００と接触または脱輪する恐れが解消せず、対向車１００との距離が近くなり、接触または脱輪する恐れが大きくなる場合が起こりうる。
【００９５】
本実施形態では、このような場合にも対応すべく、ヘッドアップディスプレイ９ｂ、１１による衝突マーク１０３等の警報の表示に加えて、ナビゲーションシステム１８から警報音を鳴らすようにし、操舵の適正化を図るようにしている。
【００９６】
本例では、上記ナビゲーションシステム１８に備えられている図示しないスピーカを表示コントローラ１２が制御することにより、警報音を当該スピーカから発することで、警報音の発生を容易に行うことができる。
【００９７】
なお、図４では、ステアリングセンサ２１の信号により、タイヤの軌跡１０２が対向車１００の方向へ曲がるように移動した表示形態となっているが、タイヤの軌跡１０２の代わりに走行可能幅１０１を曲げて表示してもよい。また、走行可能幅１０１とタイヤの軌跡１０２の両方を曲げて表示するようにしてもよい。
【００９８】
以上述べてきたように、本実施形態によれば、自車両１００の乗員が認知すべき情報を映像情報としてフロントガラス９ｂに投影して、映像情報を前景に虚像として重畳させて表示するヘッドアップディスプレイ９ｂ、１１を有する車両走行支援装置において、自車両９の車幅情報１０１、１０２を映像情報としてフロントガラス９ｂに表示するようにしたことを主たる特徴としている。
【００９９】
それによれば、車幅情報１０１、１０２がフロントガラス９ｂを通じて虚像として前景に重畳表示されるため、ドライバー（運転者）８は前方を注視したままこの車幅情報１０１、１０２を認識することができる。
【０１００】
そのため、本実施形態の車両走行支援装置１０によれば、狭路走行や狭路におけるすれ違い時などにおいて、ドライバー８は、前方を注視したまま脱輪や対向車１００との接触等を発生することなく容易に走行を行うことができる。
【０１０１】
本実施形態では、車幅情報は、自車両９の走行可能幅１０１や、実質的に自車幅に相当するタイヤの軌跡（タイヤ痕）１０２として表されているが、図２、図３、図４では、車幅情報としての自車両９の走行可能幅１０１が領域として示されている。
【０１０２】
それによれば、ドライバー８は自車両９を、表示されている走行可能幅１０１の領域内に位置するように走行させればよいため、狭路走行や狭路におけるすれ違い時などにおいて走行が容易になる。
【０１０３】
また、図２〜図４では、車幅情報として、これから走行する自車両９のタイヤの軌跡（タイヤ痕）１０２が示されているが、それによれば、ドライバー８は自車両９を、表示されているタイヤの軌跡１０２に沿って走行させればよいため、狭路走行や狭路におけるすれ違い時などにおいて走行が容易になる。
【０１０４】
なお、図２〜図４では、車幅情報として走行可能幅１０１およびタイヤの軌跡１０２の両方を表示しているが、どちらか一方だけの表示であってもかまわない。
【０１０５】
また、これら車幅情報１０１、１０２は、道路表面を隠さないように半透明な表示としたが、領域を表す線でも良いし、ドットなどを用いたカラー表示でも良い。また、タイヤの軌跡１０２は枠でもよい。
【０１０６】
さらに、車幅情報は、図２〜図４に示される走行可能幅１０１やタイヤの軌跡１０２以外にも、例えば、架空の車両を採用するようにしてもよい。図５は、ヘッドアップディスプレイ９ｂ、１１によって車幅情報として架空の車両１０４を虚像として表示した例を示す図である。
【０１０７】
このような架空の車両１０４の表示データも上記画像メモリ１９に記憶されており、表示コントローラ１２によって読み出してヘッドアップディスプレイ９ｂ、１１にて表示させることができる。
【０１０８】
この場合、架空の車両１０４は、自車両９と同じ車幅かもしくはそれ以上の車幅を有するものが好ましい。図５では、自車両９よりもやや広い車幅を有する車種を架空の車両１０４として用いている。
【０１０９】
それによれば、ドライバー８は、表示されている架空の車両１０４を追従するように自車両９を走行させればよい。そして、この架空の車両１０４は自車両９と同じ車幅かもしくはそれ以上の車幅を有するため、当該架空の車両１０９が表示される位置を実際に自車両９が通過する際の車両感覚を、ドライバー８が把握しやすくなる。
【０１１０】
そのため、ドライバー８に対する違和感もなく、ドライバー８は、この架空の車両１０４を追従するだけで、狭路走行や狭路におけるすれ違い時などにおいて容易にすり抜けを行うことができる。
【０１１１】
また、上述したように、本実施形態では、自車両９の前方の状況を認識するための前方状況認識手段が、カメラ１４、車両分析装置１５およびレーダコントローラ２０によって構成され、自車両９の運動状態を認識するための自車両認識手段が、車速センサ１６およびステアリングセンサ２１によって構成されている。
【０１１２】
そして、これら自車両認識手段１６、２１および前方状況認識手段１４、１５、２０からの情報、たとえば、対向車１００の位置データや道路幅、あるいは自車両９の車速や操舵角等のデータに基づいて車幅情報１０１、１０２、１０４が決定されるようになっている。そのため、より精度のよい車幅情報１０１、１０２、１０４の提供を行うことができる。
【０１１３】
ここで、上述したように、本実施形態では、車幅情報１０１、１０２、１０４を半透明表示としているが、場合によっては、半透明ではなく表示色を濃くして非透明表示としてもかまわない。
【０１１４】
ただし、上述の前方状況認識手段１４、１５、２０から得られる情報に基づき、自車両９の前方に実際に走行車両またはバイクが存在する場合には、フロントガラス９ｂに表示される映像情報を、半透明の表示にすることが好ましい。
【０１１５】
それによれば、自車両９の前方に実際に存在する走行車両またはバイクと、フロントガラス９ｂに表示される映像情報とが重なっても、映像情報が半透明であるため、ドライバー８は当該走行車両またはバイクを容易に認識することができる。
【０１１６】
また、本実施形態では、自車両認識手段１６、２１から得られる自車両９の速度情報に基づいて、自車両９の制動距離を算出し、この制動距離の情報を映像情報としてフロントガラス９ｂに表示するようにしてもよい。その表示についての具体的な様子は、上記図２に示される。図２において、制動距離の情報は、停止線マーク１０５として虚像表示されている。
【０１１７】
このような制動距離の情報を付加することによって、ドライバー８は、自車両９がどの地点で停止できるかを把握できるため、狭路におけるすれ違い時などにおいて、より安心して走行することができるようになる。
【０１１８】
また、この制動距離情報を表示するにあたっては、停止線マーク１０５の代わりに上述した架空の車両１０４を用い、この架空の車両１０４を制動距離の位置に表示するようにしてもよい。
【０１１９】
この場合も、画像メモリ１９から架空の車両１０４を読み出せばよく、自車両９と同じ車種が好ましいことは上述の通りである。また、前方に先行車やバイクが実際に存在し、架空の車両１０４の表示が煩わしい場合は、この表示を半透明にすれば、ドライバー８に対して実際とバーチャルの違いを明らかにすることができる。
【０１２０】
また、本実施形態において、自車両９の前方にて高さ方向に障害物が存在する場合には、自車両９の走行可能な高さを映像情報としてフロントガラス９ｂに表示するようにしてもよい。
【０１２１】
具体的には、トンネルの高さ情報や、陸橋の高さ情報をナビゲーションシステム１８から表示コントローラ１２が読み込み、自車両９の車高データと比較し、高さ方向に障害がある場合は、走行可能高さを表示するようにする。
【０１２２】
また、上述したように、前方状況認識手段１４、１５、２０は、対向車１００の有無の分析や道路幅の算出だけでなく、障害物の有無の分析も可能である。そのため、この前方状況認識手段からの情報に基づき、自車両９の車高データと比較し、高さ方向に障害がある場合は、走行可能高さを表示することも可能である。
【０１２３】
それによれば、たとえば樹木の枝が道路上に張り出している場合など、このような高さ方向に存在する障害物までも考慮して、走行可能かどうかを判断できるため、より安全な走行を実現することができる。
【０１２４】
また、本実施形態では、自車両９が所定幅よりも道幅の狭い道路に入った場合に、前方状況認識手段１４、１５、２０によって当該道路の道幅が認識されることにより、表示コントローラ１２から自動的にヘッドアップディスプレイ９ｂ、１１による表示が開始するようになっている。
【０１２５】
さらに、本実施形態では、自車両９が所定幅よりも道幅の広い道路に入った場合に、前方状況認識手段１４、１５、２０によって当該道路の道幅が認識されることにより、表示コントローラ１２から自動的にヘッドアップディスプレイ９ｂ、１１による表示が終了するようになっている。
【０１２６】
それによれば、狭路走行時における車幅情報１０１、１０２、１０４の提供の開始、および、狭路走行の終了に伴う車幅情報の提供の終了が自動的になされるので、ドライバー８の煩わしさが軽減される。
【０１２７】
また、本実施形態では、自車両認識手段１６、２１は、自車両９の操舵角を検出するステアリングセンサ２１を備えたものとなっており、ステアリングセンサ２１からの情報に基づき車幅情報１０１、１０２がフロントガラス９ｂ上にて左右に移動するようになっている。
【０１２８】
それによれば、自車両９の操舵角に応じた車幅情報１０１、１０２を提供することができる。具体的には、上記図４に示されるように、走行可能幅１０１やタイヤの軌跡１０２を自車両９の進行方向に対応して移動させる等の表示を行うことが可能となり、対向車との接触や脱輪などの情報を、自車両９の進行状態に応じてより精度よく提供することができるようになる。
【０１２９】
さらに、上記図４に示したように、本実施形態では、ステアリングセンサ２１からの情報から判断して、自車両９が、対向車１００と接触するかもしくは脱輪の可能性がある場合には、操舵の適正化を図るべく警報表示するかあるいは警報音を鳴らすようになっている。
【０１３０】
それによれば、対向車１００との接触や脱輪の発生の警告がドライバー８になされるので、これら対向車１００との接触や脱輪の発生をより確実に防止することができるようになる。
【０１３１】
また、本実施形態では、上述したように、道路幅に応じてヘッドアップディスプレイ９ｂ、１１の表示のオンオフがなされるが、ドライバー（運転者）８によって操作可能であってヘッドアップディスプレイ９ｂ、１１による表示のオンオフを行うためのスイッチ１３も備えられている。
【０１３２】
そのため、ドライバー８の意志によって、車幅情報１０１、１０２、１０４の提供の開始および終了を自由に行うことができるようになる。
【０１３３】
さらに、本実施形態においては、このドライバー８によるスイッチ１３の入り切りの情報と道路幅の情報とに基づいて、ドライバー８が道路幅情報を必要とするか否かを学習し、ヘッドアップディスプレイ９ｂ、１１による表示を行うか否かを判断できるようにしてもよい。
【０１３４】
具体的には、表示コントローラ１２内に設けた図示しないメモリに、道路幅とドライバー８によるスイッチ１３の入り切りの情報を蓄える。表示コントローラ１２は学習する機能を持つので、ドライバー８がスイッチ１３を操作したときの道路幅のうち、頻度の多いものがドライバー８の好みとして学習されていく。
【０１３５】
上述したように、本実施形態では、例えば、道路幅が５ｍ以下の場合は、自動的に走行支援表示を行うようにしている。この判断基準の５ｍはイニシャル値であり、表示コントローラ１２の学習により、ドライバー８の好みに応じて判断基準は５ｍより大きくなったり小さくなったりする。
【０１３６】
そして、この学習された判断基準に基づいて、自動的に走行支援表示を開始してもよいし、走行中の道路幅が当該判断基準に達したことをドライバー８に知らせ、ドライバー８の判断でスイッチ１３をオンさせるようにしてもよい。
【０１３７】
このようにした場合、表示コントローラ１２は、ドライバー（運転者）８の判断によりスイッチ１３を入れたときの道路幅情報とスイッチ１３を切ったときの道路幅情報とを蓄積する蓄積手段として構成されることになる。
【０１３８】
そのため、本実施形態においては、表示コントローラ１２によって、スイッチ１３を入れたときの道路幅情報より狭い道路幅になったときは自動的にスイッチ１３をオンにし、スイッチ１３を切ったときの道路幅情報より広い道路幅になったときは自動的にスイッチ１３をオフにするようにしてもよい。
【０１３９】
このことは具体的には、次のようなことである。例えば、道路幅が４ｍであって走行支援表示をしているときに、ドライバー８がスイッチ１３を切った場合、スイッチ１３を切ったときの４ｍという道路幅情報を表示コントローラ１２内に設けたメモリ（図示せず）に蓄えておき、それ以後は当該メモリに蓄えられた道路幅（４ｍ）以上のときは表示させないようにする。
【０１４０】
逆に、道路幅が６ｍであるときにドライバー８がスイッチ１３をＯＮにした場合は、スイッチ１３をオンにしたときの道路幅情報（６ｍ）を表示コントローラ１２内に設けたメモリに蓄えておき、それ以後は当該メモリに蓄えられた道路幅（６ｍ）以下のときは表示させるようにする。
【０１４１】
要するに、車両走行支援装置１０に上記のように学習させることにより、ドライバー８のニーズに応じた車幅情報１０１、１０２、１０４の提供の開始および終了を行うことができる。
【０１４２】
また、本実施形態においては、車幅情報として、自車両９が走行可能な幅と自車両９の幅とから算出される余裕度が表示されるようになっており、この余裕度が無い場合には警報が発せられるようになっていてもよい。
【０１４３】
このことは、前方状況認識手段１４、１５、２０等による解析を行い、その解析結果によって表示コントローラ１２からヘッドアップディスプレイ９ｂ、１１に表示することで行うことができる。
【０１４４】
ここで、余裕度は、自車両９が走行可能な幅から自車両９の幅を差し引いた値として算出することができる。たとえば、自車両９が走行可能な幅が２ｍであり、自車両９の幅が１．５ｍである場合、余裕度は５０ｃｍである。このような余裕度は、フロントガラス９ｂ上にて、たとえば数値やグラフ等により表すことができる。
【０１４５】
ここで、自車両９が走行可能な幅に対して自車両９の左右の余裕度が、たとえば１０ｃｍを切り、余裕度が無くなった場合には、ヘッドアップディスプレイ９ｂ、１１によって警告表示するか、警報音を発するようにすれば、ドライバー８に対してより親切な情報提供が行える。
【０１４６】
以上のように、本実施形態によれば、ドライバー８は、前方に注視したままで、対向車１００とのすれ違いや、狭路走行の運転支援を受けることができ、容易に運転ができるものである。
【０１４７】
そして、本実施形態は、自車両９の乗員が認知すべき情報を映像情報としてフロントガラス９ｂに投影して、映像情報を前景に虚像として重畳させて表示するヘッドアップディスプレイ９ｂ、１１を有する車両走行支援装置１０において、自車両９の車幅情報１０１、１０２、１０４を映像情報としてフロントガラス９ｂに表示するようにしたことを要部とするものであり、その他の部分を適宜設計変更された形態を採用してもよいことはもちろんである。
【０１４８】
（他の実施形態）
次に、他の実施形態について、以下に記載しておく。これらの他の実施形態は、上記実施形態の車両走行支援装置を用いて、適切に行うことのできる車両走行支援の表示方法に関するものである。
【０１４９】
（１）：自車両９の乗員が認知すべき情報を映像情報としてフロントガラス９ｂに投影して、前記映像情報を前景に虚像として重畳させて表示するヘッドアップディスプレイ９ｂ、１１を用いた車両走行支援の表示方法において、前記自車両９の車幅情報１０１、１０２、１０４を前記映像情報として前記フロントガラス９ｂに表示するようにしたことを特徴とする車両走行支援の表示方法。
【０１５０】
（２）：前記（１）の表示方法において、前記車幅情報として、前記自車両９が走行可能な幅１０１を領域として示すことを特徴とする車両走行支援の表示方法。
【０１５１】
（３）：前記（１）または前記（２）の表示方法において、前記車幅情報を、これから走行する前記自車両９のタイヤの軌跡１０２として表すことを特徴とする車両走行支援の表示方法。
【０１５２】
（４）：前記（１）〜前記（３）の表示方法において、前記車幅情報を、前記自車両９と同じ車幅かもしくはそれ以上の車幅を有する架空の車両１０４として表示することを特徴とする車両走行支援の表示方法。
【０１５３】
（５）：前記（１）〜前記（４）の表示方法において、前記自車両９の運動状態を認識するとともに、前記自車両９の前方の状況を認識するようにし、これら認識された前記自車両９の運動状態および前記自車両９の前方の状況に基づいて前記車幅情報１０１、１０２、１０４が決定することを特徴とする車両走行支援の表示方法。
【０１５４】
（６）：前記（５）の表示方法において、前記自車両９の前方に実際に走行車両またはバイクが存在する場合には、前記フロントガラス９ｂに表示される映像情報を、半透明の表示にすることを特徴とする車両走行支援の表示方法。
【０１５５】
（７）：前記（５）または前記（６）の表示方法において、前記自車両９の速度情報に基づいて、前記自車両９の制動距離を算出し、この制動距離の情報１０５を前記映像情報として前記フロントガラス９ｂに表示するようにしたことを特徴とする車両走行支援の表示方法。
【０１５６】
（８）：前記（５）〜前記（７）の表示方法において、前記自車両９の前方にて高さ方向に障害物が存在する場合には、前記自車両９の走行可能な高さを前記映像情報として前記フロントガラス９ｂに表示することを特徴とする車両走行支援の表示方法。
【０１５７】
（９）：前記（５）〜前記（８）の表示方法において、前記自車両９が所定幅よりも道幅の狭い道路に入った場合に、当該道路の道幅を認識することにより、自動的に前記ヘッドアップディスプレイ（９ｂ、１１）による表示を開始することを特徴とする車両走行支援の表示方法。
【０１５８】
（１０）：前記（５）〜前記（９）の表示方法において、前記自車両９が所定幅よりも道幅の広い道路に入った場合に、当該道路の道幅を認識することにより、自動的に前記ヘッドアップディスプレイ９ｂ、１１による表示を終了することを特徴とする車両走行支援の表示方法。
【０１５９】
（１１）：前記（５）〜前記（１０）の表示方法において、前記自車両９の操舵角を検出し、検出された前記自車両９の操舵角の情報に基づいて、前記車幅情報１０１、１０２を前記フロントガラス９ｂ上にて左右に移動させることを特徴とする車両走行支援の表示方法。
【０１６０】
（１２）：前記（１１）の表示方法において、検出された前記自車両９の操舵角の情報から判断して、自車両９が対向車１００と接触するかもしくは脱輪の可能性がある場合には、操舵の適正化を図るべく警報表示するかあるいは警報音を鳴らすようにすることを特徴とする車両走行支援の表示方法。
【０１６１】
（１３）：前記（１）の表示方法において、運転者８がスイッチ１３を操作することによって、前記ヘッドアップディスプレイ９ｂ、１１による表示のオンオフが可能となっていることを特徴とする車両走行支援の表示方法。
【０１６２】
（１４）：前記（１３）の表示方法において、前記運転者８による前記スイッチ１３の入り切りの情報と、道路幅の情報から、運転者８が道路幅情報を必要とするか否かを学習し、前記ヘッドアップディスプレイ９ｂ、１１による表示を行うか否かを判断できるようになっていることを特徴とする車両走行支援の表示方法。
【０１６３】
（１５）：前記（１３）の表示方法において、前記運転者８の判断により前記スイッチ１３を入れたときの道路幅情報と前記スイッチ１３を切ったときの道路幅情報とを蓄積し、前記スイッチ１３を入れたときの道路幅情報より狭い道路幅になったときは自動的に前記スイッチ１３をオンにし、前記スイッチ１３を切ったときの道路幅情報より広い道路幅になったときは自動的に前記スイッチ１３をオフにすることを特徴とする車両走行支援の表示方法。
【０１６４】
（１６）前記（１）〜前記（１５）の表示方法において、前記車幅情報として、前記自車両（９）が走行可能な幅と前記自車両（９）の幅とから算出される余裕度が表示されるようになっており、この余裕度が無い場合には警報が発せられるようになっていることを特徴とする車両走行支援の表示方法。
【０１６５】
なお、これら（１）〜（１６）の表示方法は、上記実施形態中に記載されている事項から一義的に導き出されるものであることは、いうまでもなく、これら表示方法の作用効果についても上記実施形態中に記載されていることから、あらためて繰り返さない。
【図面の簡単な説明】
【０１６６】
【図１】本発明の実施形態に係る車両走行支援装置の概略構成を示す図である。
【図２】上記実施形態におけるフロントガラスを介した車幅情報の表示の様子を模式的に示す図である。
【図３】上記実施形態におけるフロントガラスを介した車幅情報の表示の様子を具体的に示す図である。
【図４】ステアリングセンサからの情報に基づく車幅情報の左右への移動について具体的な表示の様子を示す図である。
【図５】ヘッドアップディスプレイによって車幅情報として架空の車両を虚像として表示した例を示す図である。
【符号の説明】
【０１６７】
８…ドライバー（運転者）、９…自車両、９ｂ…フロントガラス、
１１…液晶パネル、１２…表示コントローラ、１３…スイッチ、１４…カメラ、
１５……車両分析装置、１６…車速センサ、２０…レーダコントローラ、
２１…ステアリングセンサ、１０１…車幅情報としての走行可能幅、
１０２…車幅情報としてのタイヤの軌跡、１０４…車幅情報としての架空の車両。
【図１】
2005078414.tif 000003
【図２】
2005078414.tif 000004
【図３】
2005078414.tif 000005
【図４】
2005078414.tif 000006
【図５】
2005078414.tif 000007